(57)【特許請求の範囲】
【請求項１】
地図に関する地図情報が格納される格納部と、
位置を示す位置情報が対応付いたメッセージを受信する受信部と、
前記受信部が受信した前記メッセージに対応付いている前記位置情報が示す前記地図上の位置に、前記メッセージに対応するアイコンが表示されるように、前記地図情報および前記アイコンを出力する出力部とを備え、
前記出力部は、前記受信部が受信した複数の前記メッセージを一覧にて出力し、ユーザにより出力されている前記メッセージが選択された場合に、選択された前記メッセージに対応する前記アイコンを出力する端末装置。
【請求項２】
前記受信部は、同一のグループに属する１または２以上のメンバーからの前記メッセージを受信する請求項１記載の端末装置。
【請求項３】
地図に関する地図情報が格納される格納部と、受信部と、出力部とを備えた端末装置を用いて行われる地図出力方法であって、
前記受信部が、位置を示す位置情報が対応付いたメッセージを受信する受信ステップと、
前記出力部が、前記受信部が受信した前記メッセージに対応付いている前記位置情報が示す前記地図上の位置に、前記メッセージに対応するアイコンが表示されるように、前記地図情報および前記アイコンを出力する出力ステップとを備え、
前記出力ステップは、前記受信ステップで受信した複数の前記メッセージを一覧にて出力し、ユーザにより出力されている前記メッセージが選択された場合に、選択された前記メッセージに対応する前記アイコンを出力する地図出力方法。
【請求項４】
地図に関する地図情報が格納される格納部にアクセス可能なコンピュータを、
位置を示す位置情報が対応付いたメッセージを受信する受信部、
前記受信部が受信した前記メッセージに対応付いている前記位置情報が示す前記地図上の位置に、前記メッセージに対応するアイコンが表示されるように、前記地図情報および前記アイコンを出力する出力部として機能させ、
前記出力部は、前記受信部が受信した複数の前記メッセージを一覧にて出力し、ユーザにより出力されている前記メッセージが選択された場合に、選択された前記メッセージに対応する前記アイコンを出力させるためのプログラム。
【発明の詳細な説明】
【技術分野】
【０００１】
本発明は、受信したメッセージの送信相手の位置を、地図上に表示する端末装置等に関するものである。
【背景技術】
【０００２】
従来、特定の相手とメッセージを送受信するアプリケーションが提供されている（非特許文献１参照）。
【先行技術文献】
【非特許文献】
【０００３】
【非特許文献１】"無料通話・メールアプリ LINE（ライン）"、［online］、LINE株式会社、［２０１５年５月１８日検索］、インターネット［URL；http://line.me/ja/］
【発明の概要】
【発明が解決しようとする課題】
【０００４】
従来のアプリケーション等では、受信したメッセージの送信相手の位置を、地図上に表示することができなかった。
【課題を解決するための手段】
【０００５】
本第一の開示の端末装置は、地図に関する情報である地図情報が格納される格納部と、位置を示す情報が対応付いたメッセージを受信する受信部と、受信部が受信したメッセージに対応付いている位置情報が示す地図上の位置に、メッセージに対応する情報が表示されるように、地図情報およびメッセージに対応する情報を出力する出力部とを備える端末装置である。
【０００６】
このような構成により、受信したメッセージの送信相手の位置を、地図上に表示することができる。
【０００７】
また、本第二の開示の端末装置は、第一の開示に対して、受信部は、同一のグループに属する１または２以上のメンバーからのメッセージを受信し、出力部は、受信部が受信した１または２以上の各メッセージに対応する位置情報が示す地図上の位置に、メッセージに対応する情報が表示されるように、地図情報およびメッセージに対応する情報を出力する端末装置である。
【０００８】
このような構成により、同一のグループに属する他のメンバーの位置を、地図上に表示することができる。
【０００９】
また、本第三の開示の端末装置は、第二の開示に対して、出力部は、受信部が受信した１または２以上の各メッセージに対応する位置情報が示す地図上の位置のすべてが、出力領域内に含まれる縮尺の地図を示す地図情報およびメッセージに対応する情報を出力する端末装置である。
【００１０】
このような構成により、同一のグループに属する他のメンバー全員の位置を、地図上に表示することができる。
【発明の効果】
【００１１】
本発明による端末装置等によれば、受信したメッセージの送信相手の位置を、地図上に表示することができる。
【図面の簡単な説明】
【００１２】
【図１】実施の形態１における情報システム１の概念図
【図２】同端末装置１１およびサーバ装置１２のブロック図
【図３】同端末装置１１の全体動作について説明するフローチャート
【図４】同送信先識別情報の取得処理について説明するフローチャート
【図５】同サーバ装置１２の全体動作について説明するフローチャート
【図６】同グループ管理情報の例を示す図
【図７】同グループ管理情報の例を示す図
【図８】同メッセージの出力例を示す図
【図９】同メッセージの蓄積例を示す図
【図１０】同アイコンの出力例を示す図
【図１１】同コンピュータシステムの概観図
【図１２】同コンピュータシステムのブロック図
【発明を実施するための形態】
【００１３】
以下、本発明による端末装置等の実施の形態について図面を参照して説明する。なお、実施の形態において同じ符号を付した構成要素は同様の動作を行うので、再度の説明を省略する場合がある。また、本実施の形態において説明する各情報の形式、内容などは、あくまで例示であり、各情報の持つ意味を示すことができれば、形式、内容などは問わない。
【００１４】
（実施の形態１）
本実施の形態において、２以上の端末装置１１と、サーバ装置１２とを備える情報システム１について説明する。
【００１５】
端末装置１１は、メッセージを受け付ける。そして、端末装置１１は、受け付けたメッセージに、端末装置１１の現在の位置を示す位置情報を対応付けて、他の１以上の端末装置１１に送信する。当該送信は、通常、間接的な送信である。当該間接的な送信とは、サーバ装置１２を経由しての送信である。また、当該送信は、例えば、直接的な送信であってもよい。そして、メッセージを受信した端末装置１１は、受信したメッセージを出力する。このとき、当該端末装置１１は、例えば、受信したメッセージに対応付いている位置情報が示す地図上の位置に、当該メッセージが表示されるように、地図情報と共に、受信したメッセージを出力する。
【００１６】
また、サーバ装置１２は、一の端末装置１１から、位置情報が対応付いたメッセージを受信する。そして、サーバ装置１２は、当該メッセージを、当該一の端末装置１１とは異なる１以上の端末装置１１に送信する。
【００１７】
図１は、本実施の形態における情報システム１の概念図である。図１において、２以上の各端末装置１１と、サーバ装置１２とは、通信手段１３を介して通信が可能である。また、一の端末装置１１は、他の端末装置１１と、通信手段１４を介して通信が可能である。端末装置１１は、例えば、スマートフォン、携帯電話、ＰＤＡ、タブレット型ＰＣなどである。また、通信手段１３、通信手段１４は、通常、無線の通信回線である。当該無線の通信回線は、例えば、インターネット、イントラネット、ＬＡＮ、公衆電話回線網などである。また、通信手段１３と通信手段１４とは、異なる通信手段であってもよいし、異なる通信手段であってもよい。
【００１８】
また、図２は、本実施の形態における端末装置１１およびサーバ装置１２のブロック図である。端末装置１１は、格納部１１１、現在位置情報取得部１１２、受付部１１３、送信部１１４、受信部１１５、出力部１１６を備える。また、サーバ装置１２は、サーバ格納部１２１、サーバ受信部１２２、サーバ取得部１２３、サーバ送信部１２４を備える。
【００１９】
格納部１１１には、地図情報が格納される。地図情報とは、地図に関する情報である。また、地図情報により示される地図の種類、地図情報のデータ形式などは、問わない。当該地図の種類は、例えば、地形図、地勢図、地質図、土地利用図、住宅地図、路線図、道路地図、ガイドマップ、航空写真、衛星写真などである。また、当該データ形式は、例えば、ラスタデータ、ベクタデータ、ＫＩＷＩフォーマットなどである。
【００２０】
また、地図情報は、通常、１以上の道路情報を有する。道路情報とは、地図上の道路に関する情報である。当該地図上の道路は、通常、地図上の道路を構成する区間（以下、適宜、道路の区間とする）である。また、道路情報は、例えば、道路を識別する情報、道路の種類を示す情報、道路の両端の位置を示す情報などを有する。道路を識別する情報は、通常、道路の名称を示す情報である。また、道路を識別する情報は、例えば、道路のＩＤであってもよい。また、道路情報は、例えば、道路のスコア、道路の車線数、道路の進行方向などを示す情報などを有する。当該スコアは、通常、経路探索時に用いるコストである。
【００２１】
また、地図情報は、通常、１以上の地点情報を有する。地点情報とは、地図上の地点に関する情報である。地点情報は、例えば、地点の位置を示す情報を有する。また、地点情報は、例えば、地点を識別する情報、地点の種類を示す情報などを有していてもよい。地点を識別する情報は、通常、地点の名称を示す情報である。また、地点の種類は、問わない。地点の種類は、例えば、交差点、休憩地点、観光名所、駅、飲食店、各種販売店などである。休憩地点は、例えば、ガソリンスタンド、いわゆるコンビニなどである。また、地点は、例えば、道路の端点であってもよい。
【００２２】
また、上記の位置を示す情報を、以下、適宜、位置情報とする。位置情報が示す位置は、通常、経緯度である。また、当該位置は、例えば、地図上の座標であってもよい。また、当該位置は、例えば、高さ（高度）を含んでもよい。
【００２３】
また、格納部１１１には、例えば、１または２以上のユーザ識別情報が格納される。ユーザ識別情報とは、ユーザを識別する情報である。ユーザ識別情報は、例えば、ＩＰアドレス、ＭＡＣアドレス、個体識別番号などである。また、ユーザ識別情報は、例えば、いわゆるＩＤ、ユーザ名、メールアドレス、電話番号などであってもよい。なお、本実施の形態において、ユーザ識別情報は、端末装置１１を識別する情報である。また、格納部１１１に格納されるユーザ識別情報は、通常、自身の端末装置１１を識別する情報である。当該ユーザ識別情報を、以下、適宜、送信元識別情報とする。また、格納部１１１に格納されるユーザ識別情報は、例えば、自身とは異なる他の端末装置１１を識別する情報であってもよい。当該ユーザ識別情報を、以下、適宜、送信先識別情報とする。
【００２４】
また、格納部１１１には、例えば、１または２以上のグループ管理情報が格納されてもよい。グループ管理情報とは、グループを管理するための情報である。また、グループ管理情報は、通常、グループを識別する情報（以下、適宜、グループ識別情報とする）と、２以上のユーザ識別情報とが対応付いた情報である。グループ識別情報は、例えば、グループの名称、いわゆるＩＤなどである。また、グループ管理情報は、例えば、２以上のユーザ識別情報を有する情報であってもよい。
【００２５】
現在位置情報取得部１１２は、現在位置情報を取得する。現在位置情報とは、現在の位置を示す位置情報である。また、当該現在の位置は、端末装置１１の現在の位置である。また、現在位置情報取得部１１２は、通常、自動的に現在位置情報を取得する。また、現在位置情報を取得するタイミングは、問わない。現在位置情報取得部１１２は、例えば、定期的（予め決められた期間が経過するたび）に現在位置情報を取得する。また、現在位置情報取得部１１２は、例えば、ユーザからの指示があるたびに、現在位置情報を取得する。
【００２６】
現在位置情報取得部１１２は、通常、衛星航法システム（ＧＰＳ受信機など）、移動体通信用の基地局から位置情報を受信する装置などから、現在位置情報を取得する。この場合、現在位置情報取得部１１２は、これらの装置を有していてもよいし、これらの装置で実現され得てもよい。また、現在位置情報取得部１１２の処理手順は、通常、ソフトウェアで実現され、当該ソフトウェアはＲＯＭ等の記録媒体に記録されている。
【００２７】
受付部１１３は、メッセージを受け付ける。当該メッセージは、いわゆるメールなどでやり取りする文面である。つまり、当該メッセージは、文字（テキスト）である。また、受付部１１３が受け付けるメッセージには、通常、グループ識別情報が対応付いている。また、受付部１１３が受け付けるメッセージには、例えば、ユーザ識別情報が対応付いていてもよい。当該ユーザ識別情報は、送信先識別情報である。
【００２８】
また、受け付けとは、タッチパネル、キーボードなどの入力デバイスから入力された情報の取得、光ディスクや磁気ディスク、半導体メモリなどの記録媒体に格納されている情報の読み出し、有線もしくは無線の通信回線を介して送信された情報の受信などを含む概念である。
【００２９】
受付部１１３における情報や指示などの入力手段は、メニュー画面によるもの、キーボードなど、何でもよい。受付部１１３は、メニュー画面の制御ソフトウェア、キーボード等の入力手段のデバイスドライバなどで実現され得る。
【００３０】
送信部１１４は、受付部１１３が受け付けたメッセージを送信する。当該送信は、通常、サーバ装置１２への送信である。また、当該送信は、例えば、他の端末装置１１への送信であってもよい。また、送信部１１４は、送信元識別情報および現在位置情報を、当該メッセージに対応付けて、当該メッセージを送信する。当該送信元識別情報は、格納部１１１に格納されている送信元識別情報である。また、当該現在位置情報は、現在位置情報取得部１１２が取得した現在位置情報である。なお、送信部１１４が、サーバ装置１２または他の端末装置１１にメッセージを送信する方法や手順などは、例えば、以下のとおりである。
【００３１】
（１）例えば、受付部１１３が、グループ識別情報が対応付いたメッセージを受け付けた場合、送信部１１４は、現在位置情報取得部１１２に、現在位置情報を取得する旨を指示する。そして、送信部１１４は、当該指示により現在位置情報取得部１１２が取得した現在位置情報を取得する。そして、送信部１１４は、取得した現在位置情報と、送信元識別情報とを、メッセージに対応付ける。そして、送信部１１４は、グループ識別情報、現在位置情報、送信元識別情報が対応付いたメッセージを、サーバ装置１２に送信する。
【００３２】
（２）例えば、受付部１１３が、グループ識別情報が対応付いたメッセージを受け付けた場合、送信部１１４は、格納部１１１に格納されているグループ管理情報から、メッセージに対応付いているグループ識別情報に対応する１以上の送信先識別情報を取得する。また、送信部１１４は、現在位置情報取得部１１２に、現在位置情報を取得する旨を指示する。そして、送信部１１４は、当該指示により現在位置情報取得部１１２が取得した現在位置情報を取得する。そして、送信部１１４は、メッセージに対応付いているグループ識別情報に代えて、取得した１以上の送信先識別情報と、取得した現在位置情報と、送信元識別情報とを、メッセージに対応付ける。そして、送信部１１４は、１以上の送信先識別情報、現在位置情報、送信元識別情報が対応付いたメッセージを、サーバ装置１２に送信する。
【００３３】
（３）例えば、受付部１１３が、１以上の送信先識別情報が対応付いたメッセージを受け付けた場合、送信部１１４は、現在位置情報取得部１１２に、現在位置情報を取得する旨を指示する。そして、送信部１１４は、当該指示により現在位置情報取得部１１２が取得した現在位置情報を取得する。そして、送信部１１４は、取得した現在位置情報と、送信元識別情報とを、メッセージに対応付ける。そして、送信部１１４は、１以上の送信先識別情報、現在位置情報、送信元識別情報が対応付いたメッセージを、サーバ装置１２に送信する。
【００３４】
（４）例えば、受付部１１３が、グループ識別情報が対応付いたメッセージを受け付けた場合、送信部１１４は、格納部１１１に格納されているグループ管理情報から、メッセージに対応付いているグループ識別情報に対応する１以上の送信先識別情報を取得する。また、送信部１１４は、現在位置情報取得部１１２に、現在位置情報を取得する旨を指示する。そして、送信部１１４は、当該指示により現在位置情報取得部１１２が取得した現在位置情報を取得する。そして、送信部１１４は、メッセージに対応付いているグループ識別情報に代えて、取得した現在位置情報と、送信元識別情報とを、メッセージに対応付ける。そして、送信部１１４は、現在位置情報、送信元識別情報が対応付いたメッセージを、取得した１以上の各送信先識別情報により識別される端末装置１１に送信する。
【００３５】
（５）例えば、受付部１１３が、１以上の送信先識別情報が対応付いたメッセージを受け付けた場合、送信部１１４は、現在位置情報取得部１１２に、現在位置情報を取得する旨を指示する。そして、送信部１１４は、当該指示により現在位置情報取得部１１２が取得した現在位置情報を取得する。そして、送信部１１４は、メッセージに対応付いている１以上の送信先識別情報に代えて、取得した現在位置情報と、送信元識別情報とを、メッセージに対応付ける。そして、送信部１１４は、現在位置情報、送信元識別情報が対応付いたメッセージを、メッセージに対応付いていた１以上の各送信先識別情報により識別される端末装置１１に送信する。
【００３６】
なお、上記において、「メッセージに対応付いているグループ識別情報に対応する１以上の送信先識別情報」とは、当該グループ識別情報に対応する２以上のユーザ識別情報のうち、格納部１１１に格納されている送信元識別情報とは異なる１以上のユーザ識別情報である。また、当該１以上の送信先識別情報は、例えば、当該グループ識別情報に対応する２以上のユーザ識別情報のうち、格納部１１１に格納されている送信元識別情報以外の１以上のユーザ識別情報であるとも言える。
【００３７】
受信部１１５は、メッセージを受信する。当該受信は、通常、サーバ装置１２からの受信である。また、当該受信は、例えば、他の端末装置１１からの受信であってもよい。また、当該他の端末装置１１からの受信は、例えば、同一のグループに属する１または２以上のメンバーからの受信であるとも言える。また、受信部１１５が受信したメッセージには、位置情報が対応付いている。当該位置情報は、送信先の端末装置１１において取得された現在位置情報である。また、受信部１１５が受信したメッセージには、例えば、送信元識別情報が対応付いていてもよい。また、受信部１１５が受信したメッセージを、以下、適宜、受信メッセージとする。
【００３８】
また、受信メッセージは、例えば、予め決められた記憶領域に蓄積されてもよい。当該予め決められた記憶領域は、例えば、格納部１１１であってもよい。また、当該蓄積は、例えば、図示しない蓄積部が行ってもよい。
【００３９】
出力部１１６は、受信メッセージに対応する情報を出力する。「受信メッセージに対応する情報」とは、受信メッセージおよび受信メッセージに対応するアイコンのいずれか一方または両方である。つまり、出力部１１６は、例えば、受信メッセージを出力する。また、出力部１１６は、例えば、受信メッセージに対応するアイコンを出力する。
【００４０】
また、アイコンは、図柄、絵柄、記号、文字などを表現したものである。アイコンは、通常、いわゆる画像であるが、当該画像の形式は問わない。つまり、当該画像は、ラスタデータであってもよいし、ベクタデータであってもよいし、その他のデータであってもよい。また、アイコンは、アイコンの属性を示す１以上の属性情報を有していてもよい。当該属性は、例えば、色、大きさ、形状などである。また、アイコンは、アイコンを識別するアイコン識別子を有していてもよい。
【００４１】
また、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。
【００４２】
なお、出力部１１６が受信メッセージなどを出力する方法や手順などは、例えば、以下のとおりである。
【００４３】
（１）出力部１１６は、例えば、受信部１１５が受信した一の受信メッセージに対応付いている位置情報が示す地図上の位置に、当該受信メッセージが表示されるように、地図情報および当該受信メッセージを出力する。当該地図情報は、格納部１１１に格納されている地図情報である。また、このとき、出力部１１６は、例えば、受信メッセージに代えて、アイコンを出力してもよい。当該アイコンは、例えば、受信メッセージに対応付いている位置情報が示す地図上の位置を指し示すアイコンである。また、当該アイコンは、例えば、出力部１１６が予め保持している。また、当該アイコンは、例えば、格納部１１１に格納されていてもよい。また、この場合、出力部１１６は、例えば、ユーザにより出力しているアイコンが選択された場合に、当該アイコンに対応する受信メッセージを出力する。
【００４４】
（２）出力部１１６は、例えば、受信部１１５が受信した２以上の各受信メッセージに対応付いている位置情報が示す地図上の位置に、当該２以上の各受信メッセージが表示されるように、地図情報および当該２以上の受信メッセージを出力する。このとき、出力部１１６は、例えば、当該地図上の２以上の位置のすべてが、出力領域に含まれるように、当該地図情報および当該２以上の受信メッセージを出力する。当該地図情報の出力は、例えば、当該２以上の位置のすべてが出力領域に含まれる縮尺の地図を示す地図情報を出力することである。また、当該地図情報の出力は、例えば、縮尺の小さい地図を示す地図情報を出力することである。また、当該地図情報の出力は、例えば、出力している地図情報が示す地図の縮尺を、当該縮尺よりも小さい縮尺に変更することである。また、当該縮尺の変更は、例えば、地図の縮尺の自動的な変更である。また、出力部１１６は、例えば、当該地図上の２以上の位置の一部が、出力領域に含まれるように、当該地図情報および当該２以上の受信メッセージを出力する。当該地図情報の出力は、例えば、当該２以上の位置の一部が出力領域に含まれる縮尺の地図を示す地図情報を出力することである。また、当該地図情報の出力は、例えば、縮尺の大きい地図を示す地図情報を出力することである。また、当該地図情報の出力は、例えば、出力している地図情報が示す地図の縮尺を、当該縮尺よりも大きい縮尺に変更することである。また、当該縮尺の変更は、例えば、地図の縮尺の自動的な変更である。また、出力部１１６は、例えば、受信メッセージに代えて、アイコンを出力してもよい。この場合、出力部１１６は、例えば、ユーザにより出力しているアイコンが選択された場合に、当該アイコンに対応する受信メッセージを出力する。
【００４５】
（３）出力部１１６は、例えば、受信部１１５が受信した１または２以上の受信メッセージを出力する。当該出力の態様は、問わない。出力部１１６は、例えば、当該１または２以上の受信メッセージを、一覧にて出力する。そして、出力部１１６は、例えば、ユーザにより出力している受信メッセージが選択された場合に、当該受信メッセージに対応付いている位置情報が示す地図上の位置に、当該受信メッセージに対応するアイコンが表示されるように、地図情報および当該アイコンを出力する。
【００４６】
また、出力部１１６は、ディスプレイやスピーカーなどの出力デバイスを含むと考えてもよいし、含まないと考えてもよい。出力部１１６は、出力デバイスのドライバソフトまたは、出力デバイスのドライバソフトと出力デバイスなどで実現され得る。
【００４７】
サーバ格納部１２１には、１または２以上のグループ管理情報が格納される。
【００４８】
サーバ受信部１２２は、端末装置１１から、メッセージを受信する。当該メッセージには、例えば、グループ識別情報、１以上の送信先識別情報、位置情報、送信元識別情報などが対応付いている。当該位置情報は、メッセージを送信してきた端末装置１１において取得された現在位置情報である。
【００４９】
サーバ取得部１２３は、サーバ格納部１２１に格納されているグループ管理情報から、サーバ受信部１２２が受信したメッセージに対応付いているグループ識別情報に対応する１以上の送信先識別情報を取得する。当該「メッセージに対応付いているグループ識別情報に対応する１以上の送信先識別情報」とは、当該グループ識別情報に対応する２以上のユーザ識別情報のうち、サーバ受信部１２２が受信したメッセージに対応付いている送信元識別情報とは異なる１以上のユーザ識別情報である。また、当該１以上の送信先識別情報は、例えば、当該グループ識別情報に対応する２以上のユーザ識別情報のうち、サーバ受信部１２２が受信したメッセージに対応付いている送信元識別情報以外の１以上のユーザ識別情報であるとも言える。
【００５０】
また、サーバ取得部１２３は、通常、ＭＰＵやメモリ等から実現され得る。また、サーバ取得部１２３などの処理手順は、通常、ソフトウェアで実現され、当該ソフトウェアはＲＯＭ等の記録媒体に記録されている。なお、サーバ取得部１２３などは、ハードウェア（専用回路）で実現されてもよい。
【００５１】
サーバ送信部１２４は、サーバ受信部１２２が受信したメッセージを、端末装置１１に送信する。例えば、サーバ取得部１２３が１以上の送信元識別情報を取得した場合、サーバ送信部１２４は、当該１以上の各送信元識別情報により識別される端末装置１１に、当該メッセージを送信する。また、例えば、サーバ受信部１２２が受信したメッセージに、１以上の送信先識別情報が対応付いている場合、サーバ送信部１２４は、当該１以上の各送信元識別情報により識別される端末装置１１に、当該メッセージを送信する。
【００５２】
また、サーバ送信部１２４は、通常、サーバ受信部１２２が受信したメッセージに対応付いている情報のうち、位置情報を対応付けて、当該メッセージを送信する。また、サーバ送信部１２４は、例えば、サーバ受信部１２２が受信したメッセージに対応付いている情報のうち、位置情報と送信元識別情報とを対応付けて、当該メッセージを送信する。
【００５３】
なお、格納部１１１、サーバ格納部１２１は、不揮発性の記録媒体が好適であるが、揮発性の記録媒体でも実現可能である。また、格納部１１１、サーバ格納部１２１に所定の情報が記憶される過程は、問わない。例えば、当該所定の情報は、記録媒体、通信回線、入力デバイスなどを介して格納部１１１、サーバ格納部１２１に記憶されてもよい。
【００５４】
また、送信部１１４、サーバ送信部１２４は、通常、無線または有線の通信手段で実現されるが、放送手段で実現されてもよい。
【００５５】
また、受信部１１５、サーバ受信部１２２は、通常、無線または有線の通信手段で実現されるが、放送を受信する手段で実現されてもよい。
【００５６】
次に、情報システム１の全体動作について、フローチャートを用いて説明する。なお、所定の情報におけるｉ番目の情報は、「情報［ｉ］」と記載するものとする。まず、端末装置１１の全体動作について、図３のフローチャートを用いて説明する。
【００５７】
（ステップＳ３０１）端末装置１１は、受付部１１３が電源ＯＮの指示を受け付けたか否かを判断する。受け付けた場合は、ステップＳ３０２に進み、そうでない場合は、ステップＳ３０１に戻る。
【００５８】
（ステップＳ３０２）端末装置１１は、電源ＯＮの処理を行う。
【００５９】
（ステップＳ３０３）送信部１１４は、受付部１１３が、メッセージを受け付けたか否かを判断する。当該メッセージには、グループ識別情報、または、１または２以上の送信先識別情報が対応付いている。そして、受け付けた場合は、ステップＳ３０４に進み、そうでない場合は、ステップＳ３１３に進む。
【００６０】
（ステップＳ３０４）送信部１１４は、現在位置情報取得部１１２に、現在位置情報を取得する旨を指示する。そして、送信部１１４は、当該指示に応じて現在位置情報取得部１１２が取得した現在位置情報を取得する。
【００６１】
（ステップＳ３０５）送信部１１４は、ステップＳ３０３で受け付けたメッセージに、ステップＳ３０４で取得した現在位置情報を対応付ける。
【００６２】
（ステップＳ３０６）送信部１１４は、ステップＳ３０３で受け付けたメッセージに、格納部１１１に格納されている送信元識別情報を対応付ける。
【００６３】
（ステップＳ３０７）送信部１１４は、メッセージの送信先が、サーバ装置１２、他の端末装置１１のいずれであるかを判断する。当該判断は、例えば、送信先がサーバ装置１２であるか他の端末装置１１であるかを示す情報が予め決められた記憶領域に格納されており、当該判断を用いて行う。そして、サーバ装置１２である場合は、ステップＳ３０８に進み、他の端末装置１１である場合は、ステップＳ３１０に進む。
【００６４】
（ステップＳ３０８）送信部１１４は、ステップＳ３０３で受け付けたメッセージを、当該メッセージに対応付いている情報と共に、サーバ装置１２に送信する。
【００６５】
（ステップＳ３０９）送信部１１４は、ステップＳ３０３で受け付けたメッセージに、グループ識別情報が対応付いているか否かを判断する。対応付いている場合は、ステップＳ３１０に進み、そうでない場合は、ステップＳ３１１に進む。
【００６６】
（ステップＳ３１０）送信部１１４は、ステップＳ３０３で受け付けたメッセージに対応付いているグループ識別情報に対応する１または２以上の送信先識別情報を、格納部１１１に格納されているグループ管理情報から取得する。この処理の詳細は、図４のフローチャートを用いて説明する。
【００６７】
（ステップＳ３１１）送信部１１４は、ステップＳ３０３で受け付けたメッセージを、端末装置１１に送信する。例えば、ステップＳ３０９において、グループ識別情報が対応付いていると判断した場合、送信部１１４は、ステップＳ３０３で受け付けたメッセージを、当該メッセージに対応付いている情報のうち、グループ識別情報以外の情報と共に、ステップＳ３１０で取得した１または２以上の各送信先識別情報により識別される１または２以上の各端末装置１１に送信する。また、例えば、ステップＳ３０９において、グループ識別情報が対応付いていないと判断した場合、送信部１１４は、ステップＳ３０３で受け付けたメッセージを、当該メッセージに対応付いている情報のうち、送信先識別情報以外の情報と共に、当該メッセージに対応付いている１または２以上の各送信先識別情報により識別される１または２以上の各端末装置１１に送信する。
【００６８】
（ステップＳ３１２）出力部１１６は、受信部１１５がメッセージを受信したか否かを判断する。受信した場合は、ステップＳ３１３に進み、そうでない場合は、ステップＳ３１４に進む。
【００６９】
（ステップＳ３１３）出力部１１６は、ステップＳ３１２で受信したメッセージに対応付いている位置情報が示す地図上の位置に、当該メッセージが表示されるように、地図情報と共に、当該メッセージを出力する。このとき、出力部１１６は、例えば、当該メッセージに代えて、アイコンを出力してもよい。
【００７０】
（ステップＳ３１４）端末装置１１は、受付部１１３が電源ＯＦＦの指示を受け付けたか否かを判断する。受け付けた場合は、ステップＳ３１５に進み、そうでない場合は、ステップＳ３０３に戻る。
【００７１】
（ステップＳ３１５）端末装置１１は、電源ＯＦＦの処理を行う。そして、ステップＳ３０１に戻る。
【００７２】
なお、図３のフローチャートにおいて、電源オフや処理終了の割り込みにより処理を終了してもよい。
【００７３】
図４は、図３のフローチャートのステップＳ３１０の送信先識別情報の取得処理を示すフローチャートである。なお、図４のフローチャートにおいて、格納部１１１には、ｍ個のグループ管理情報が格納されているものとする。また、一のグループ管理情報においては、一のグループ識別情報と、２以上のユーザ識別情報（以下、適宜、ユーザ識別情報群とする）とが対応付いているものとする。
【００７４】
（ステップＳ４０１）送信部１１４は、カウンタｉに１をセットする。
【００７５】
（ステップＳ４０２）送信部１１４は、グループ管理情報［ｉ］が有するグループ識別情報であるグループ識別情報［ｉ］が、受付部１１３が受け付けたメッセージに対応付いているグループ識別情報である送信先グループ識別情報と同一であるか否かを判断する。同一である場合は、ステップＳ４０３に進み、そうでない場合は、ステップＳ４０４に進む。
【００７６】
（ステップＳ４０３）送信部１１４は、グループ管理情報［ｉ］が有するユーザ識別情報群であるユーザ識別情報群［ｉ］を取得する。
【００７７】
（ステップＳ４０４）送信部１１４は、ｉがｍであるか否かを判断する。ｍである場合は、ステップＳ４０６に進み、そうでない場合は、ステップＳ４０５に進む。
【００７８】
（ステップＳ４０５）送信部１１４は、ｉを１インクリメントする。そして、ステップＳ４０２に戻る。
【００７９】
（ステップＳ４０６）送信部１１４は、カウンタｉに１をセットする。ここで、送信部１１４は、ステップＳ４０３において、ｎ個のユーザ識別情報から構成されるユーザ識別情報群を取得したものとする。
【００８０】
（ステップＳ４０７）送信部１１４は、取得したユーザ識別情報群が有するユーザ識別情報［ｉ］が、受付部１１３が受け付けたメッセージに対応付いている送信元識別情報と同一であるか否かを判断する。同一である場合は、ステップＳ４０９に進み、そうでない場合は、ステップＳ４０８に進む。
【００８１】
（ステップＳ４０８）送信部１１４は、取得したユーザ識別情報群が有するユーザ識別情報［ｉ］を取得する。当該ユーザ識別情報［ｉ］は、送信先識別情報である。
【００８２】
（ステップＳ４０９）送信部１１４は、ｉがｎであるか否かを判断する。ｎである場合は、上位処理にリターンし、そうでない場合は、ステップＳ４１０に進む。
【００８３】
（ステップＳ４１０）送信部１１４は、ｉを１インクリメントする。そして、ステップＳ４０７に戻る。
【００８４】
次に、サーバ装置１２の全体動作について、図５のフローチャートを用いて説明する。
【００８５】
（ステップＳ５０１）サーバ送信部１２４は、サーバ受信部１２２がメッセージを受信したか否かを判断する。当該メッセージには、位置情報と、送信元識別情報とが対応付いている。また、当該メッセージには、グループ識別情報、または、１または２以上の送信先識別情報も対応付いている。そして、受信した場合は、ステップＳ５０２に進み、そうでない場合は、ステップＳ５０１に戻る。
【００８６】
（ステップＳ５０２）サーバ送信部１２４は、ステップＳ５０１で受信したメッセージに、グループ識別情報が対応付いているか否かを判断する。対応付いている場合は、ステップＳ５０３に進み、そうでない場合は、ステップＳ５０４に進む。
【００８７】
（ステップＳ５０３）サーバ取得部１２３は、ステップＳ５０１で受信したメッセージに対応付いているグループ識別情報に対応する１または２以上の送信先識別情報を、サーバ格納部１２１に格納されているグループ管理情報から取得する。この処理の詳細は、図４のフローチャートと同様であるので、説明を省略する。
【００８８】
（ステップＳ５０４）サーバ送信部１２４は、ステップＳ５０１で受信したメッセージを、端末装置１１に送信する。例えば、ステップＳ５０２において、グループ識別情報が対応付いていると判断した場合、サーバ送信部１２４は、ステップＳ５０１で受信したメッセージを、当該メッセージに対応付いている情報のうち、グループ識別情報以外の情報と共に、ステップＳ５０３で取得した１または２以上の各送信先識別情報により識別される１または２以上の各端末装置１１に送信する。また、例えば、ステップＳ５０２において、グループ識別情報が対応付いていないと判断した場合、サーバ送信部１２４は、ステップＳ５０１で受信したメッセージを、当該メッセージに対応付いている情報のうち、送信先識別情報以外の情報と共に、当該メッセージに対応付いている１または２以上の各送信先識別情報により識別される１または２以上の各端末装置１１に送信する。そして、ステップＳ５０１に戻る。
【００８９】
なお、図５のフローチャートにおいて、電源オフや処理終了の割り込みにより処理を終了してもよい。
【００９０】
なお、上記で説明した情報システム１の全体動作は、あくまで一例である。つまり、情報システム１の全体動作は、上記の説明に限定されるものではない。
【００９１】
（具体例）
次に、情報システム１の動作の具体例について説明する。なお、本具体例において、端末装置１１は、スマートフォン（以下、適宜、スマホとする）であるものとする。また、サーバ装置１２は、メッセージの送受信を行うサーバ装置（以下、適宜、サーバとする）であるものとする。
【００９２】
（例１）
本例において、一の端末装置１１が、サーバ装置１２を介して、他の１以上の端末装置１１にメッセージを送信する例などについて説明する。なお、本例において、サーバ格納部１２１には、図６に示すグループ管理情報が格納されているものとする。当該グループ管理情報は、レコードを一意に特定するためのＩＤと、グループ識別情報（項目名：グループ）と、２以上のユーザ識別情報（項目名：ＩＰアドレス１、ＩＰアドレス２、・・・、ＩＰアドレスｎ）とを有する。当該ユーザ識別情報は、端末装置１１を識別するＩＰアドレスである。
【００９３】
まず、ユーザＡが、スマホＡを所持しているとする。当該スマホＡの格納部１１１には、図７に示すグループ管理情報が格納されている。図７のグループ管理情報の構成は、図６のグループ管理情報の構成と同様であるので、説明を省略する。また、図７のグループ管理情報は、図６のグループ管理情報の一部である。言い換えると、図６のグループ管理情報は、図７のグループ管理情報を含む２以上のグループ管理情報から構成される。また、スマホＡの格納部１１１には、スマホＡを識別するユーザ識別情報であるＩＰアドレス「２０２．２２．１８．１１１」が格納されているものとする。当該ＩＰアドレスは、送信元識別情報である。
【００９４】
次に、ユーザＡが、スマホＡに対し、図７の「ＩＤ＝０１１」のグループ管理情報により特定されるグループに属するメンバーに、メッセージを送信するための操作を行ったとする。当該操作は、例えば、グループの一覧からのグループの選択、および、当該選択の結果、表示される入力フィールドのメッセージの入力などである。すると、受付部１１３は、グループ識別情報「Ｇ１１」が対応付いたメッセージを受け付ける。
【００９５】
次に、現在位置情報取得部１１２は、現在位置情報を取得する。そして、送信部１１４は、受付部１１３が受け付けたメッセージに、当該現在位置情報と、格納部１１１に格納されている送信元識別情報であるＩＰアドレス「２０２．２２．１８．１１１」を対応付ける。そして、送信部１１４は、受付部１１３が受け付けたメッセージであり、グループ識別情報、現在位置情報、送信元識別情報が対応付いたメッセージを、サーバに送信する。
【００９６】
次に、サーバのサーバ受信部１２２は、グループ識別情報、位置情報、送信元識別情報が対応付いたメッセージを、スマホＡから受信する。そして、サーバ取得部１２３は、当該グループ識別情報「Ｇ１１」に対応するユーザ識別情報であり、当該送信元識別情報であるＩＰアドレス「２０２．２２．１８．１１１」以外のユーザ識別情報を、送信先識別情報として、図６のグループ管理情報から取得する。この結果、サーバ取得部１２３は、図６の「ＩＤ＝０１１」の「ＩＰアドレス２」から「ＩＰアドレスｎ」までの１以上のＩＰアドレスを、送信先識別情報として取得する。
【００９７】
次に、サーバ送信部１２４は、サーバ取得部１２３が取得した１以上の各ＩＰアドレスにより識別されるスマホに、サーバ受信部１２２が受信したメッセージを送信する。このとき、サーバ送信部１２４は、当該メッセージに対応付いていたグループ識別情報、現在位置情報、送信元識別情報を対応付けたままで、当該メッセージを送信する。ここで、サーバ取得部１２３が取得した１以上の各ＩＰアドレスにより識別される１以上のスマホのうちの一のスマホを、スマホＢとする。
【００９８】
次に、スマホＢの受信部１１５は、グループ識別情報、位置情報、送信元識別情報が対応付いたメッセージを、サーバから受信する。そして、出力部１１６は、当該メッセージに対応付いている位置情報が示す地図上の位置に、当該メッセージが表示されるように、地図情報と共に、当該メッセージを出力する。当該出力の例は、図８である。
【００９９】
（例２）
本例において、一の端末装置１１が、受信した２以上の各メッセージに対応付いている位置情報が示す地図上の位置に、アイコンが表示されるように、地図情報とアイコンとを出力する例などについて説明する。なお、当該端末装置１１の格納部１１１には、図７のグループ管理情報が格納されているものとする。
【０１００】
まず、スマホ（受信部１１５）が、サーバから、グループ識別情報、位置情報、送信元識別情報が対応付いたメッセージを受信したとする。ここで、スマホの蓄積部（図示せず）は、当該メッセージを、例えば、格納部１１１に蓄積するものとする。すると、蓄積部は、現在の日時を示す日時情報を取得する。日時情報とは、日時を示す情報である。そして、蓄積部は、当該日時情報を、受信部１１５が受信したメッセージに対応付ける。そして、蓄積部は、当該メッセージを、当該メッセージに対応付いているグループ識別情報、位置情報、送信元識別情報、日時情報と共に、格納部１１１に蓄積する。当該蓄積により格納部１１１に蓄積されたメッセージは、例えば、図９である。図９において、メッセージには、レコードを一意に特定するためのＩＤと、グループ識別情報（項目名：グループ）と、位置情報（項目名：位置）と、送信元識別情報であるＩＰアドレス（項目名：送信元）と、日時情報（項目名：日時）とが対応付いている。
【０１０１】
ここで、受信部１１５が、図９の「ＩＤ＝０２５」のメッセージを受信し、蓄積部が、当該メッセージを蓄積した直後であるものとする。また、格納部１１１には、スマホを識別するユーザ識別情報であるＩＰアドレス「２０２．２２．１８．１１１」が格納されているものとする。当該ＩＰアドレスは、送信元識別情報である。
【０１０２】
次に、取得部（図示せず）は、図９の「ＩＤ＝０２５」のメッセージに対応付いているグループ識別情報「Ｇ４１」を取得する。そして、取得部は、当該グループ識別情報「Ｇ４１」に対応するユーザ識別情報であり、当該送信元識別情報であるＩＰアドレス「２０２．２２．１８．１１１」以外のユーザ識別情報を、送信先識別情報として、図７のグループ管理情報から取得する。この結果、取得部は、図７の「ＩＤ＝０１４」の「ＩＰアドレス２」のＩＰアドレスを含む１以上のＩＰアドレスを取得する。ここで、取得部は、７個のＩＰアドレスを取得したものとする。
【０１０３】
次に、取得部は、取得した７個の各ＩＰアドレスに対して、当該ＩＰアドレスと、グループ識別情報「Ｇ４１」とが対応付いた位置情報を、図９の情報から取得する。このとき、取得部は、例えば、メッセージと共に、位置情報を取得する。また、取得部は、同一のＩＰアドレスとグループ識別情報が対応付いている位置情報のうち、対応付いている日時情報が示す日時により最新であることが示される一の位置情報を取得する。つまり、例えば、ＩＰアドレス「２０２．２４．１８．１１４」とグループ識別情報「Ｇ０１」とが対応付いている位置情報が２つ存在する場合、取得部は、当該２つの位置情報のうち、対応付いている日時情報が示す日時により最新であることが示される一の位置情報を取得する。ここで、取得部は、７個の位置情報を、当該７個の各位置情報に対応付いているメッセージと共に取得したものとする。
【０１０４】
次に、出力部１１６は、取得部が取得した７個の各位置情報が示す地図上の位置に、アイコンが表示されるように、地図情報とアイコンとを出力する。当該出力の例は、図１０である。このとき、出力部１１６は、例えば、アイコンを、メッセージを対応付けて出力する。そして、例えば、受付部１１３が、出力しているアイコンのうちのいずれか１つの選択を受け付けた場合、出力部１１６は、当該選択されたアイコンに対応するメッセージが、当該アイコンが表示されている位置に表示されるように、当該メッセージを出力する。
【０１０５】
以上、本実施の形態による情報システム１によれば、受信したメッセージの送信相手の位置を、地図上に表示することができる。また、本実施の形態による情報システム１によれば、同一のグループに属するユーザの位置を、受信したメッセージに対応付いている位置情報に基づき、地図上に表示することができる。これにより、ユーザは、例えば、メッセージの送信相手に、自身の現在位置を容易に知らせることができる。
【０１０６】
なお、本実施の形態において、情報システム１は、サーバ装置１２を備えていなくてもよい。この場合、情報システム１は、２以上の端末装置１１を備える。また、送信部１１４は、受付部１１３が受け付けたメッセージを、他の端末装置１１に送信する。また、受信部１１５は、他の端末装置１１から、メッセージを受信する。
【０１０７】
また、本実施の形態において、出力部１１６は、上記具体例でも説明したように、受信部１１５が受信したメッセージ以外に、当該メッセージを送信した端末装置１１（ユーザ）と同一のグループに属する端末装置１１（ユーザ）の位置が、地図上に表示されるように、地図情報と共に、メッセージまたはアイコンを出力してもよい。
【０１０８】
また、上記各実施の形態において、一の装置に存在する２以上の通信手段は、物理的に一の媒体で実現されてもよいことは言うまでもない。
【０１０９】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０１１０】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１１１】
また、上記各実施の形態における端末装置を実現するソフトウェアは、例えば、以下のようなプログラムである。つまり、このプログラムは、地図に関する情報である地図情報が格納される格納部にアクセス可能なコンピュータを、位置を示す情報が対応付いたメッセージを受信する受信部、前記受信部が受信したメッセージに対応付いている位置情報が示す地図上の位置に、当該メッセージに対応する情報が表示されるように、前記地図情報および当該メッセージに対応する情報を出力する出力部として機能させるためのプログラムである。
【０１１２】
また、上記各実施の形態におけるサーバ装置を実現するソフトウェアは、例えば、以下のようなプログラムである。つまり、このプログラムは、一の端末装置から、位置情報が対応付いたメッセージを受信するサーバ受信部、サーバ受信部が受信したメッセージを、前記一の端末装置とは異なる他の端末装置に送信するサーバ送信部として機能させるためのプログラムである。
【０１１３】
なお、上記プログラムにおいて、上記プログラムが実現する機能には、ハードウェアでしか実現できない機能は含まれない。
【０１１４】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１１５】
また、上記プログラムを実行するコンピュータは、単数であってもよいし、複数であってもよい。つまり、集中処理を行ってもよいし、あるいは分散処理を行ってもよい。
【０１１６】
また、図１１は、前述のプログラムを実行して、前述の実施の形態の端末装置等を実現するコンピュータシステム９の概観図である。前述の実施の形態は、コンピュータハードウェア、およびその上で実行されるコンピュータプログラムで実現され得る。
【０１１７】
図１１において、コンピュータシステム９は、ＣＤ−ＲＯＭドライブ９０１１を含むコンピュータ９０１と、キーボード９０２と、マウス９０３と、モニタ９０４とを備える。
【０１１８】
図１２は、コンピュータシステム９のブロック図である。図１２において、コンピュータ９０１は、ＣＤ−ＲＯＭドライブ９０１１に加えて、ＭＰＵ９０１２と、ブートアッププログラム等のプログラムを記憶するためのＲＯＭ９０１３と、ＭＰＵ９０１２に接続され、アプリケーションプログラムの命令を一時的に記憶するとともに一時記憶空間を提供するためのＲＡＭ９０１４と、アプリケーションプログラム、システムプログラム、およびデータを記憶するためのハードディスク９０１５と、ＣＤ−ＲＯＭドライブ９０１１、ＭＰＵ９０１２等を相互に接続するバス９０１６とを備える。ここでは図示しないが、コンピュータ９０１は、さらに、ＬＡＮへの接続を提供するネットワークカードを備えていてもよい。
【０１１９】
コンピュータシステム９に、前述の実施の形態の端末装置等の機能を実行させるプログラムは、ＣＤ−ＲＯＭ９１０１に記憶されて、ＣＤ−ＲＯＭドライブ９０１１に挿入され、さらにハードディスク９０１５に転送されてもよい。これに代えて、プログラムは、図示しないネットワークを介してコンピュータ９０１に送信され、ハードディスク９０１５に記憶されてもよい。プログラムは実行の際にＲＡＭ９０１４にロードされる。プログラムは、ＣＤ−ＲＯＭ９１０１またはネットワークから直接、ロードされてもよい。
【０１２０】
プログラムは、コンピュータ９０１に、前述の実施の形態の端末装置等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０１２１】
また、本発明は、以上の実施の形態に限定されることなく、種々の変更が可能であり、それらも本発明の範囲内に包含されるものであることは言うまでもない。
【産業上の利用可能性】
【０１２２】
以上のように、本発明にかかる端末装置は、受信したメッセージの送信相手の位置を、地図上に表示することができるという効果を有し、例えば、メッセージの送受信を行うアプリケーションソフトウェア等として有用である。
【符号の説明】
【０１２３】
１  情報システム
１１  端末装置
１２  サーバ装置
１１１  格納部
１１２  現在位置情報取得部
１１３  受付部
１１４  送信部
１１５  受信部
１１６  出力部
１２１  サーバ格納部
１２２  サーバ受信部
１２３  サーバ取得部
１２４  サーバ送信部
【図１】
0006615501.tif 000002
【図２】
0006615501.tif 000003
【図３】
0006615501.tif 000004
【図４】
0006615501.tif 000005
【図５】
0006615501.tif 000006
【図６】
0006615501.tif 000007
【図７】
0006615501.tif 000008
【図８】
0006615501.tif 000009
【図９】
0006615501.tif 000010
【図１０】
0006615501.tif 000011
【図１１】
0006615501.tif 000012
【図１２】
0006615501.tif 000013